(57)【特許請求の範囲】
【請求項１】
第１のプリント基板の上に設けられた第１配線用コネクタ部と、
第２のプリント基板の上に設けられた第２配線用コネクタ部と、
前記第１配線用コネクタ部と前記第２配線用コネクタ部を接続するＦＰＣとを備え、
前記第１，第２配線用コネクタ部は前記ＦＰＣが挿入される方向と直交する方向に配置された１組の配線用コネクタをそれぞれ有するプリント基板の配線構造であって、
前記ＦＰＣは、前記第１のプリント基板上の一方の配線用コネクタと前記第２のプリント基板上の一方の配線用コネクタを接続する第１配線部と、
前記第１のプリント基板上の他方の配線用コネクタと前記第２のプリント基板上の他方の配線用コネクタを接続する第２配線部と、
前記第１配線部と前記第２配線部を接続する接続部とを備え、
前記ＦＰＣが正しい向きで前記配線用コネクタに接続されたときは、前記第１のプリント基板と前記第２のプリント基板のいずれか一方に配置された突起部が干渉を回避し、該ＦＰＣが正しくない向きで前記配線用コネクタに接続されたときは前記突起部に対して前記接続部が干渉するように、前記突起部および前記接続部の外形形状が設定されていることを特徴とするプリント基板の接続構造。
【請求項２】
前記ＦＰＣは、前記接続部を除いて前記第１配線部と前記第２配線部が分離していることを特徴とする請求項１記載のプリント基板の接続構造。
【請求項３】
前記突起部は、前記１組の配線用コネクタの間に対応する位置で且つ前記１組の配線用コネクタよりも前記ＦＰＣの挿入方向側の位置に配置された電子部品であることを特徴とする請求項１または２記載のプリント基板の接続構造。
【請求項４】
前記ＦＰＣは、前記第１配線部と前記第２配線部の配線部配列方向への外力が前記接続部に加わることによって、外力がかからない状態での前記接続部の前記配線部配列方向への長さが変化して、前記第１配線部と前記第２配線部との距離が変化可能に、前記接続部が撓み構造を有することを特徴とする請求項１〜３のいずれか一項に記載のプリント基板の接続構造。
【請求項５】
前記ＦＰＣは、前記第１配線部と前記第２配線部と前記接続部が別体構造であって、前記接続部を第１配線部と前記第２配線部に貼り付けることにより、前記第１配線部と前記第２配線部を前記接続部により一体構造とすることを特徴とする請求項１〜４のいずれか一項に記載のプリント基板の接続構造。
【請求項６】
請求項１〜５のいずれか一つに記載の第１，第２のプリント基板の接続に用いる接続用のＦＰＣであって、
前記ＦＰＣは、前記第１のプリント基板上の一方の配線用コネクタと前記第２のプリント基板上の一方の配線用コネクタを接続する第１配線部と、前記第１のプリント基板上の他方の配線用コネクタと前記第２のプリント基板上の他方の配線用コネクタを接続する第２配線部と、前記第１配線部と前記第２配線部を接続し且つ前記第１のプリント基板と前記第２のプリント基板のいずれか一方に配置される突起部に干渉させて前記ＦＰＣが誤接続されるのを防止させる接続部とを備えることを特徴とするプリント基板接続用のＦＰＣ。
【請求項７】
請求項６に記載のＦＰＣを用いて接続されたプリント基板の接続構造を有する電子機器。
【発明の詳細な説明】
【技術分野】
【０００１】
この発明は、小型の電子機器に実装される電子部品やプリント基板間を接続するためのプリント基板の接続構造とその接続用のＦＰＣ及び電子機器に関するものである。
【背景技術】
【０００２】
近年の電子機器、例えば、デジタルカメラや携帯電話等は小型化が加速している。こうした電子機器に実装される電子部品やプリント基板間を接続するには、平型柔軟ケーブル（以下、ＦＰＣ）が使用されている。
【０００３】
また、ＦＰＣのように屈曲性を持って接続する手段として、ＦＦＣ（Ｆｌｅｘｉｂｌｅ  Ｆｌａｔ  Ｃａｂｌｅ）も良く知られている。ＦＦＣは導体を平行に並べて両側端子以外を絶縁体で覆ってＦＰＣのように曲げて配線することができる。
【０００４】
このＦＰＣは、柔軟性のある樹脂からなる基板の表面に銅箔等の導電性物質を所望のパターンで配置したもので、該導電性のパターンによってコネクタ端子等を介して供給された電気信号を各部に供給するようになっている。
【０００５】
このようなＦＰＣでは、例えば、
「（１）．配線途中に部品を配置する。
（２）．配線を途中で入れ替える。
（３）．電源／ＧＮＤがコネクタで連続する複数ラインに設定されている。」
等の場合に、接続途中では複数ラインを分離せずに１つの太いラインにまとめてインピーダンスを低下させる、などができる。
【０００６】
しかし、ＦＰＣではコネクタへの接続方向を間違えると機器が正常に作動できなくなることも考えられる。
【０００７】
また、上述したようなデジタルカメラや携帯電話等のように小さい機器では、多くの端子全体にわたって均一な力を与えるために金属部材を用いた大型化コネクタよりも、モールド部材が主の小型化コネクタを複数用いた方がトータル容量として有利となる場合がある。このような小型化コネクタとして複数のＦＰＣを用いることで、ＦＰＣで接続する部品にピン数が少ないコネクタが用いられたメーカーの汎用品が選択できる。また、汎用品であれば、同じピン数の複数備品の購入となるのでコスト的に有利である。更に、同じ構造のコネクタを採用することで信頼性も全く同じように考えることができる。
【０００８】
しかし、一般的に使用されるコネクタに対応したＦＰＣの両端部に形成される端子形状は似ているため、ＦＰＣの端子を基板の接続部へ挿入する際に、作業者がＦＰＣの挿入先を誤って挿入してしまうことがある。この場合、装置が動作しなかったり、最悪の場合装置が破損するという問題がある。この問題を解決するため、特殊な形状のコネクタとＦＰＣの組み合わせにより、誤った挿入が出来ないようにする誤挿入防止用のコネクタの技術が既に知られている。
【０００９】
この誤挿入防止用のコネクタの技術としては、例えば、一対一組のＦＰＣの側縁に突起部を設けて、この突起部によりＦＰＣが基板の接続部に接続されるのを防止するようにした技術が知られている（例えば、特許文献１参照）。
【発明の概要】
【発明が解決しようとする課題】
【００１０】
しかし、今までの誤挿入防止用のコネクタでは、汎用性が少ないためラインナップが限られていることから、コネクタの仕様に合わせて周辺部品を設計する必要があるなど、設計の自由度が狭められるという問題があった。また、特殊形状であることからコストも高いという問題があった。
【００１１】
そこで、本発明は、従来の課題に鑑みてなされたものであり、汎用的なコネクタを使用した場合でも、ＦＰＣの誤挿入を防止できるプリント基板の接続構造とその接続用のＦＰＣ及び電子機器を提供することを目的とするものである。
【課題を解決するための手段】
【００１２】
この目的を達成するため、この発明は、第１のプリント基板の上に設けられた第１配線用コネクタ部と、第２のプリント基板の上に設けられた第２配線用コネクタ部と、前記第１配線用コネクタ部と前記第２配線用コネクタ部を接続するＦＰＣとを備え、前記第１，第２配線用コネクタ部は前記ＦＰＣが挿入される方向と直交する方向に配置された１組の配線用コネクタをそれぞれ有するプリント基板の配線構造であって、前記ＦＰＣは、前記第１のプリント基板上の一方の配線用コネクタと前記第２のプリント基板上の一方の配線用コネクタを接続する第１配線部と、前記第１のプリント基板上の他方の配線用コネクタと前記第２のプリント基板上の他方の配線用コネクタを接続する第２配線部と、前記第１配線部と前記第２配線部を接続する接続部とを備え、
前記ＦＰＣが正しい向きで前記配線用コネクタに接続されたときは、前記第１のプリント基板と前記第２のプリント基板のいずれか一方に配置された突起部が干渉を回避し、該ＦＰＣが正しくない向きで前記配線用コネクタに接続されたときは前記突起部に対して前記接続部が干渉するように、前記突起部および前記接続部の外形形状が設定されていることを特徴とする。
【００１３】
また、プリント基板の接続用のＦＰＣはプリント基板の配線構造に用いたＦＰＣを有し、電子機器はこのＦＰＣを用いて接続されたプリント基板を有する。
【発明の効果】
【００１４】
この構成によれば、汎用的なコネクタを使用した場合においても、ＦＰＣの誤挿入を防止できる。
【図面の簡単な説明】
【００１５】
【図１】この発明に係るプリント基板の接続構造の概略斜視図である。
【図１Ａ】図１のプリント基板の接続構造の要部拡大平面図である。
【図２】（ａ）は図１に示した接続規制突部を有するプリント基板の説明図、（ｂ）は図１に示したＦＰＣの説明図である。
【図３】（ａ）は図２（ａ）の接続規制突部によりＦＰＣがプリント基板に接続できない状態を示す作用説明図、（ｂ）はＦＰＣのプリント基板への接続が図２（ａ）の接続規制突部により規制されていない状態を示す作用説明図である。
【図４】この発明に係るプリント基板の接続構造の他の例を示し、（ａ）は接続規制突部によりＦＰＣがプリント基板に接続できない状態を示す作用説明図、（ｂ）はＦＰＣのプリント基板への接続が接続規制突部により規制されていない状態を示す作用説明図である。
【図５】図４（ａ）を矢印Ｂ１方向から見た説明図である。
【図６】この発明に係るプリント基板の接続構造の更に他の例を示す側面図である。
【図７】この発明に係るプリント基板の接続構造の更に他の例を示す断面図である。
【図８】（ａ）は図７の粘着テープ片の貼り付け位置を示す目印が設けられた第１，第２ＦＰＣ部の説明図、（ｂ）は（ａ）の目印に貼り付けた粘着テープ片で第１，第２ＦＰＣ部を接続した状態を示すＦＰＣの説明図である。
【発明を実施するための形態】
【００１６】
以下、本発明に係るプリント基板の接続構造の実施の形態を図面に基づいて説明する。
【実施例１】
【００１７】
[構成]
図１はこの発明に係るプリント基板の接続構造の概略斜視図、図１Ａは図１のプリント基板の接続構造の要部拡大平面図である。また、図２（ａ）は図１に示した接続規制突部を有するプリント基板の説明図、図２（ｂ）は図１に示したＦＰＣの説明図である。更に、図３（ａ）は図２（ａ）の接続規制突部によりＦＰＣがプリント基板に接続できない状態を示す作用説明図、図３（ｂ）はＦＰＣのプリント基板への接続が図２（ａ）の接続規制突部により規制されていない状態を示す作用説明図である。
【００１８】
図１において、１はデジタルカメラや携帯電話等の電子機器内に実装される第１のプリント基板、２はデジタルカメラや携帯電話等の電子機器内に実装される第２のプリント基板、３は第１，第２のプリント基板１，２を接続しているＦＰＣ（Ｆｌｅｘｉｂｌｅ  Ｐｒｉｎｔｅｄ  Ｃｉｒｃｕｉｔ）である。
【００１９】
この第１，第２のプリント基板１，２の対向する縁部上には、配線用コネクタ部１ａ，２ａがそれぞれ設けられている。この配線用コネクタ部１ａは、第１のプリント基板１の側縁に沿う方向に並設され且つ互いに近接させられた一対一組のＦＰＣ接続用コネクタ基板（配線用コネクタ）４，５を有する。また、配線用コネクタ部２ａは、第２のプリント基板２の側縁に沿う方向に並設され且つ互いに近接させられた一対一組のＦＰＣ接続用コネクタ基板（配線用コネクタ）６，７を有する。
【００２０】
ＦＰＣ接続用コネクタ基板４，５の並設間隔とＦＰＣ接続用コネクタ基板６，７の並設間隔は同一に設けられ、ＦＰＣ接続用コネクタ基板４〜７の接続コネクタの構造は同一に設けられている。
【００２１】
このＦＰＣ接続用コネクタ基板４〜７は、同一構造で且つ複数の接続用のピン（図示せず）を有する。即ち、ＦＰＣ接続用コネクタ基板４〜７は、図１Ａに示したように同じ形状で同じ大きさのＦＰＣ接続口４ａ〜７ａを有すると共に、このＦＰＣ接続口４ａ〜７ａが開口する端子挿入端４ｂ〜７ｂを有する。
【００２２】
しかも、ＦＰＣ接続用コネクタ基板４，５内にはＦＰＣ接続用コネクタ基板４，５の並設方向に配列された複数の接続用のピン（図示せず）が設けられ、ＦＰＣ接続用コネクタ基板６，７内にはＦＰＣ接続用コネクタ基板６，７の並設方向に配列された複数の接続用のピン（図示せず）が設けられている。このＦＰＣ接続用コネクタ基板４〜７の複数のピン（図示せず）は同一の本数（同一ピン数）を有する。しかも、ＦＰＣ接続用コネクタ基板４〜７の複数のピン（図示せず）の上述した並設方向は、ＦＰＣ３が挿入される方向と直交する方向となっている。
【００２３】
そして、ＦＰＣ接続用コネクタ基板６，７間には空間８が形成され、第２のプリント基板２には空間８のＦＰＣ接続用コネクタ基板６，７の配列方向の中央部に対応して接続規制突部９が形成されている。この接続規制突部９は端子挿入端６ｂ，７ｂより第２のプリント基板２の基板側縁２ｂ側に設けられている。図２（ａ）において、Ｃは接続規制突部９の基板側縁２ｂ側の端面９ａと端子挿入端６ｂ，７ｂとの距離である。
【００２４】
また、ＦＰＣ３は、細長い平板状の第１ＦＰＣ部（第１配線部）１０と、細長い平板状の第２ＦＰＣ部（第２配線部）１１と、第１ＦＰＣ部１０，第２ＦＰＣ部１１の一端部近傍を接続している接続規制用連結部（接続部）１２を備えている。しかも、第１ＦＰＣ部１０は、接続端子部１０ａ，１０ｂを両端部に有すると共に、接続端子部１０ａ，１０ｂ間を接続しているプリント配線（図示せず）を有する。また、第２ＦＰＣ部１１は、接続端子部１１ａ，１１ｂを両端部に有すると共に、接続端子部１１ａ，１１ｂ間を接続しているプリント配線（図示せず）を有する。
【００２５】
そして、図２（ｂ）に示したように、接続規制用連結部１２と接続端子部１０ｂ，１１ｂの先端までの距離をＡとし、接続規制用連結部１２と接続端子部１０ａ，１１ａの先端までの距離をＢとすると、距離Ａは距離Ｂより十分に小さい距離（Ａ＜＜Ｂ）に設定されている。しかも、距離Ａは距離Ｃよりも僅かに小さい距離（Ａ＜Ｃ）に設定されている。
【００２６】
尚、図１Ａに示したように、第１，第２ＦＰＣ部１０，１１の一端の接続端子部１０ｂ，１１ｂが第１のプリント基板１のＦＰＣ接続用コネクタ基板４，５にそれぞれ接続され、第１，第２ＦＰＣ部１０，１１の他端の接続端子部１０ａ，１１ａが第２のプリント基板２のＦＰＣ接続用コネクタ基板６，７にそれぞれ接続されることにより、第１，第２のプリント基板１，２は正常に接続される。
[作用]
このような構成のプリント基板の接続構造の作用を説明する。
【００２７】
図３（ａ）に示したように、ＦＰＣ３の第１，第２ＦＰＣ部１０，１１の接続端子部１０ａ，１１ａを第２のプリント基板２のＦＰＣ接続用コネクタ基板６，７に接続使用とした場合、ＦＰＣ３の接続規制用連結部１２が第２のプリント基板２の接続規制突部９に当接して、接続端子部１０ａ，１１ａがＦＰＣ接続用コネクタ基板６，７の接続口６ａ，７ａに挿入接続されるのは阻止される。
【００２８】
一方、図３（ｂ）に示したように、ＦＰＣ３の第１，第２ＦＰＣ部１０，１１の接続端子部１０ｂ，１１ｂを第２のプリント基板２のＦＰＣ接続用コネクタ基板６，７に接続使用とした場合、ＦＰＣ３の接続規制用連結部１２は接続規制突部９に当接することがないので、接続端子部１０ｂ，１１ｂはＦＰＣ接続用コネクタ基板６，７の接続口６ａ，７ａに挿入接続される。この状態では、接続端子部１０ａ，１１ａは図１Ａに示したように第１のプリント基板１に設けたＦＰＣ接続用コネクタ基板４，５のＦＰＣ接続口４ａ，５ａに挿入接続できる。
【００２９】
このように図１，図１Ａは、一対一組とするＦＰＣ（第１，第２ＦＰＣ部１０，１１）を、突起部（接続規制突部９）が実装された第２のプリント基板２のＦＰＣ接続用コネクタ基板６，７にＺＩＦ（Zero Insertion Force socket）、ＮｏｎＺＩＦコネクタ接続する構成を示したものである。
【００３０】
この図１，図１Ａは二つのＦＰＣ（第１，第２ＦＰＣ部１０，１１）を接続して一対一組としたＦＰＣ３を示したものである。ＦＰＣ３の端からある一定の距離Ａを離して接続されている。もう一方の端からある一定の距離Ｂだけ離して接続されている。図示したように距離Ａ＜距離Ｂである。接続部に関しては、ＦＰＣと同一材料であるが、テープ等の外部的に貼り付けを行い接続しても良い。
【００３１】
また、ＦＰＣ接続用コネクタ基板６，７の端からある一定の距離Ｃだけ離れた面を移動規制面として有するチップ部品が移動規制突部（突起部）９として実装されている。距離Ｃは、Ｃ＞Ａを成り立つように実装されている。チップ部品であるＦＰＣ接続用コネクタ基板６，７の高さに関しては、特に規定はしない。
【００３２】
尚、ＺＩＦとは、Zero Insertion Force socketの略で、ＣＰＵの脱着を行うソケットの機構のひとつで、ソケットの脇に取り付けられたレバーの操作によってＣＰＵチップの抜き差しが行える機構のことである。ＣＰＵが入出力を行う接触部分はピンと呼ばれるが、最近の高性能なＣＰＵは有するピンの数が数百本にのぼる。これらを通常のソケットに挿入したり取り外したりするには、ある程度の力を入れる必要があり、装着が甘くて接触不良を起こしたり、取り外しの際にピンが曲がってしまうといった事態が生じやすい。これをうまく脱着するにはある程度の技術の習熟が必要になる。ＺＩＦソケットでは、ＣＰＵの固定と解放をレバー操作によって行う。レバーを上げてＣＰＵをソケットに挿入し、レバーを元に戻すと、ピンは挟まれて固定され、確実に装着される。取り外す際もレバーを上げてピンを解放すればよい。いずれにしても、ＺＩＦでは抜き差しに力を加える必要がない（Ｚｅｒｏ  Ｉｎｓｅｒｔｉｏｎ  Ｆｏｒｃｅである）。
【００３３】
従って、実施例１では、詳細な図示および説明は省略したが、ＦＰＣ接続用コネクタ基板（配線用コネクタ）４〜７にＺＩＦが用いられている。
【実施例２】
【００３４】
以上説明した実施例１では、ＦＰＣ接続用コネクタ基板（配線用コネクタ）４〜７の側面に開口するＦＰＣ接続口４ａ〜７ａを設けて、ＦＰＣ３の第１ＦＰＣ部１０の接続端子部１０ａ，１１ａをＦＰＣ接続用コネクタ基板４，５の側面からＦＰＣ接続口４ａ，５ａに接続し、ＦＰＣ３の第１ＦＰＣ部１０の接続端子部１０ａ，１１ｂをＦＰＣ接続用コネクタ基板６，７の側面から接続口６ａ，７ａに接続することにより、第１，第２のプリント基板１，２を接続するように構成したが、必ずしも接続方向は上述した実施例に限定されるものではない。しかも、実施例１では、ＦＰＣ接続用コネクタ基板（配線用コネクタ）４〜７にＺＩＦコネクタを用いたが必ずしもこれに限定されるものではない。例えば、ＢｔｏＢ（Ｂｏａｒｄ  ｔｏ  Ｂｏａｒｄ）コネクタを用いて、第１，第２のプリント基板１，２を接続する構成としても良い。尚、ＢｔｏＢコネクタ（ボードtoボードコネクタ）は、周知であるのでその詳細な接続構造の図示および説明は省略する。
【００３５】
このＢｔｏＢコネクタを用いた接続構造に用いる構成としては、例えば、図４（ａ），（ｂ），図５に示したような構成としても良い。即ち、図４（ａ），（ｂ），図５に示したように、ＺＩＦコネクタであるＦＰＣ接続用コネクタ基板（配線用コネクタ）４〜７に変えてＢｔｏＢ（Ｂｏａｒｄ  ｔｏ  Ｂｏａｒｄ）コネクタのソケットであるＦＰＣ接続用コネクタ基板（配線用コネクタ）４Ａ〜７Ａを用いると共に、ＢｔｏＢ用のＦＰＣ３Ａの第１ＦＰＣ部１０ＡにＢｔｏＢ接続用の接続端子部１０ｃ，１０ｄを設け、ＢｔｏＢ用のＦＰＣ３Ａの第２ＦＰＣ部１１ＡにＢｔｏＢ接続用の接続端子部１１ｃ，１１ｄを設けて、ＦＰＣ３ＡでＦＰＣ接続用コネクタ基板（配線用コネクタ）４Ａと６Ａおよび５Ａと７Ａを接続する構成としても良い。
【００３６】
この場合、ＦＰＣ接続用コネクタ基板（配線用コネクタ）４Ａと接続端子部１０ｃとでＺＩＦコネクタが構成されると共に、ＦＰＣ接続用コネクタ基板（配線用コネクタ）６Ａと接続端子部１０ｄとでＺＩＦコネクタが構成される。また、ＦＰＣ接続用コネクタ基板（配線用コネクタ）５Ａと接続端子部１１ｃとでＺＩＦコネクタが構成され、ＦＰＣ接続用コネクタ基板（配線用コネクタ）７Ａと接続端子部１１ｄとでＺＩＦコネクタが構成される。この構成の配置等を以下に説明する。
【００３７】
図４（ａ）に示したように、実施例１のＦＰＣ接続用コネクタ基板４，５と同様に第１のプリント基板１にはＢｔｏＢコネクタであるＦＰＣ接続用コネクタ基板（配線用コネクタ）４Ａ，５Ａが近接して設けられ、実施例１のＦＰＣ接続用コネクタ基板（配線用コネクタ）６，７と同様に第２のプリント基板２にはＢｔｏＢコネクタであるＦＰＣ接続用コネクタ基板６Ａ，７Ａが近接して設けられている。そして、ＦＰＣ接続用コネクタ基板４Ａ〜７Ａには、側面ではなく上面に開口するＦＰＣ接続口４ｃ〜７ｃが形成されている。また、第２のプリント基板２には、実施例１と同様に接続規制突部９が設けられている。
【００３８】
一方、ＦＰＣ３Ａは上述した実施例１のＦＰＣ３の第１ＦＰＣ部１０，第２ＦＰＣ部１１と同様に平板状の第１ＦＰＣ部１０Ａ，第２ＦＰＣ部１１Ａを有するが、実施例１と異なる構成は平板状の第１ＦＰＣ部１０Ａの両端部に面と直交する方向に突出する接続端子部１０ｃ，１０ｄが設けられ、第２ＦＰＣ部１１Ａの両端部に面と直交する方向に突出する接続端子部１１ｃ，１１ｄが設けられている点である。
【００３９】
また、第１ＦＰＣ部１０Ａ，第２ＦＰＣ部１１Ａは、接続端子部１０ｃ，１１ｃ側の端部近傍の部分がＦＰＣ３の接続規制用連結部（接続部）１２で連結されている。このＦＰＣ３の接続規制用連結部１２は、接続端子部１０ｃ，１１ｃが接続用コネクタ基板６Ａ，７ＡのＦＰＣ接続口６ｃ，７ｃ上に配設されたとき、接続規制突部９上に位置するように設けられている。しかも、図５に示したように接続規制突部９の高さをＥとし、接続用コネクタ基板６Ａ，７Ａの高さをＤとすると、高さ（距離）Ｅは高さ（距離）Ｄよりも高く設定され（高さＥ＞高さＤ）ている。そして、図４（ａ），図５に示したように、接続規制用連結部１２が第２のプリント基板２側に配設されて接続規制突部９に当接した状態では、接続端子部１０ｃ，１１ｃがＦＰＣ接続用コネクタ基板６Ａ，７ＡのＦＰＣ接続口６ｃ，７ｃに挿入されないようになっている。
【００４０】
一方、図４（ｂ）に示したように、接続規制用連結部１２が第１のプリント基板１側に配設された状態では、接続規制用連結部１２が接続規制突部９に当接することはない。この状態では、図４（ａ）の接続端子部１０ｃ，１１ｃを図４（ａ）のＦＰＣ接続用コネクタ基板６Ａ，７ＡのＦＰＣ接続口５ｃ，４ｃに挿入接続し、図４（ａ）の接続端子部１０ｄ，１１ｄを図４（ａ）のＦＰＣ接続用コネクタ基板６Ａ，７ＡのＦＰＣ接続口７ｃ，６ｃに挿入接続することができる。そして、この接続により図４（ｂ）のようにＦＰＣ３Ａの第１ＦＰＣ部１０ＡによりＦＰＣ接続用コネクタ基板４Ａ，６Ａが正常に接続され、第２ＦＰＣ部１１ＡによりＦＰＣ接続用コネクタ基板５Ａ，７Ａが正常に接続される。
【実施例３】
【００４１】
上述した実施例１，２では、一対一組の第１，第２ＦＰＣ部１０，１１（又は１０Ａ，１１Ａ）からなるＦＰＣ３（３Ａ）は接続規制用連結部（接続部）１２が直線であるため、第１，第2のプリント基板１，２へのＦＰＣ接続用コネクタ基板（コネクタ）の実装ずれ、ＦＰＣ３の形状の製造公差により接続ができない場合がある。  そこで、第１，第2のプリント基板１，２へのＦＰＣ接続用コネクタ基板（コネクタ）の実装ずれがあっても、接続規制用連結部１２の形状を曲線にすることにより、自由度が増し、ＦＰＣ接続が容易となり解消可能となる。本実施例では、接続規制用連結部１２がＳ字状に形成されている。
【００４２】
この場合、接続規制用連結部１２の材料としては、補強板などの硬い材料を避け、柔軟な材料により構成する。例えば、接続規制用連結部１２にはＦＰＣ３と同一材料を用いているが、接続規制用連結部１２としては柔軟性のある粘着テープ等を用いても良い。
【００４３】
この場合、例えば、図７に示したように構成しても良い。この図７では、第１，第２ＦＰＣ部１０，１１を所定間隔に配置した状態で、第１ＦＰＣ部１０の一端部近傍の部分の一面（図７の第１ＦＰＣ部１０の上面）と第２ＦＰＣ部１１の一端部近傍の部分の一面（図７の第２ＦＰＣ部１１の上面）とに第1の粘着テープ片１２ａの両端部を貼り付ける。また、第１ＦＰＣ部１０の一端部近傍の部分の他面（図７の第１ＦＰＣ部１０の下面）と第２ＦＰＣ部１１の一端部近傍の部分の他面（図７の第２ＦＰＣ部１１の下面）とに第２の粘着テープ片１２ｂの両端部を貼り付ける。そして、第１，第２の粘着テープ片１２ａ，１２ｂの中間部１２ａ１，１２ｂ１を互いに接着させて接続規制用連結部１２とすることにより、第１，第２ＦＰＣ部１０，１１の一端部近傍の部分をテープで外部的に貼り付けを行い接続した構成としている。
【００４４】
また、接続規制用連結部１２は２つの湾曲部Ｓ１，Ｓ２を有し、接続端子部１０ａ，１１ａ側の湾曲部Ｓ１から接続端子部１０ａ，１１ａ先端までの距離をＦとし、接続端子部１０ｂ，１１ｂ側の湾曲部Ｓ２から接続端子部１０ｂ，１１ｂ先端までの距離をＧとしたとき、距離Ｇ＞距離Ｆとなっている。
【００４５】
尚、第１配線部（第１ＦＰＣ部１０）と第２配線部（第２ＦＰＣ部１１）と接続部（接続規制用連結部１２）を別体構造とすることで、ＦＰＣ製造時の基本となるシートサイズ（ワークサイズ）にＦＰＣの配線部を設定できので、ＦＰＣ部１０，１１等で示した配線部の個数を自由に増減できる。
（変形例）
このように接続部自体は汎用の粘着テープで代用して第１配線部（第１ＦＰＣ部１０）＋第２配線部（第２ＦＰＣ部１１）＋接続部（粘着テープ片１２ａ，１２ｂからなる接続規制用連結部１２）として１つのＦＰＣ３とすることもできる。この場合、粘着テープの貼り付け基準となる位置を示す目印などを第１配線部である第１ＦＰＣ部１０と第２配線部である第２ＦＰＣ部１１の表面および裏面に対応して設けておいて、この目印の部分に粘着テープ片１２ａ（１２ｂ）を貼り付けるようにすると良い。この目印としては、特定パターン、外形穴、外形溝、線などを用いることができる
例えば、図８（ａ）は目印の一例を示したもので、粘着テープの貼り付け基準となる位置を示すテープ幅のパターン目印Ｍを第１配線部である第１ＦＰＣ部１０と第２配線部である第２ＦＰＣ部１１の表面および裏面に対応して設けておいて、このパターン目印Ｍの部分に粘着テープ片１２ａ（１２ｂ）を貼り付けることにより、図８（ｂ）のように第１，第２ＦＰＣ部１０，１１を粘着テープ製の接続規制用連結部（接続部）１２としたものである。この構成によれば、パターン目印Ｍに一致するように粘着テープ片１２ａ（１２ｂ）を貼り付けることで、第１，第２ＦＰＣ部１０，１１の間隔や、粘着テープ片１２ａ（１２ｂ）の第１，第２ＦＰＣ部１０，１１の長手方向への接着位置を正確且つ容易に設定できるので、貼り付け作業が容易となる。
（発明の実施の形態の説明１）
以上説明したように、この発明の実施の形態のプリント基板の接続構造は、第１のプリント基板１の上に設けられた配線用コネクタ部１ａと、第２のプリント基板２の上に設けられた配線用コネクタ部２ａと前記第１配線用コネクタ部１ａと第２配線用コネクタ部２ａを接続するＦＰＣ３を備えている。しかも、前記配線用コネクタ部１ａ，２ａは、前記ＦＰＣ３が挿入される方向と直交する方向に配置された同一構造で同一ピン数からなる１組（一対）の配線用コネクタ（ＦＰＣ接続用コネクタ基板４，５とＦＰＣ接続用コネクタ基板６，７、又はＦＰＣ接続用コネクタ基板４Ａ，５ＡとＦＰＣ接続用コネクタ基板６Ａ，７Ａ）をそれぞれ有する。また、前記ＦＰＣ３は前記第１のプリント基板１上の一方の配線用コネクタ（ＦＰＣ接続用コネクタ基板４又は４Ａ）と前記第２のプリント基板２上の一方の配線用コネクタ（ＦＰＣ接続用コネクタ基板６又は６Ａ）を接続する第１配線部（第１ＦＰＣ部１０又は１０Ａ）と、前記第１のプリント基板１上の他方の配線用コネクタ（ＦＰＣ接続用コネクタ基板５又は５Ａ）と前記第２のプリント基板２上の他方の配線用コネクタ（ＦＰＣ接続用コネクタ基板７又は７Ａ）を接続する第２配線部（第２ＦＰＣ部１１又は１１Ａ）と、該第１の配線部（第１ＦＰＣ部１０又は１０Ａ）と第２の配線部（第２ＦＰＣ部１１又は１１Ａ）を一体とするように接続する接続部（接続規制用連結部１２）とを備えている。そして、前記ＦＰＣ３が正しい向きで前記配線用コネクタ（ＦＰＣ接続用コネクタ基板４，５とＦＰＣ接続用コネクタ基板６，７、又はＦＰＣ接続用コネクタ基板４Ａ，５ＡとＦＰＣ接続用コネクタ基板６Ａ，７Ａ）に接続されたときは、前記第１のプリント基板１と第２のプリント基板２のいずれか一方に配置された突起部（接続規制突部９）に対して前記接続部（接続規制用連結部１２）が干渉を回避し、該ＦＰＣ３が正しくない向きで前記配線用コネクタ（ＦＰＣ接続用コネクタ基板４，５とＦＰＣ接続用コネクタ基板６，７、又はＦＰＣ接続用コネクタ基板４Ａ，５ＡとＦＰＣ接続用コネクタ基板６Ａ，７Ａ）に接続されたときは前記突起部（接続規制突部９）に対して前記接続部（接続規制用連結部１２）が干渉するように、前記突起部（接続規制突部９）および前記接続部（接続規制用連結部１２）の外形形状が設定されている。
【００４６】
この構成によれば、汎用的なコネクタを使用した場合においても、ＦＰＣ（３，３Ａ）の誤挿入を防止できる。このように誤挿入をなくすことにより、プリント基板やＦＰＣの故障を減少させるため、製造コストを低減することができる。
（発明の実施の形態の説明２）
また、この発明の実施の形態のプリント基板の接続構造において、前記ＦＰＣ（３，３Ａ）は、前記接続部（接続規制用連結部１２）を除いて前記第１の配線部（第１ＦＰＣ部１０又は１０Ａ）と第２の配線部（第２ＦＰＣ部１１又は１１Ａ）が分離している。
【００４７】
この構成によれば、第１の配線部（第１ＦＰＣ部１０又は１０Ａ）と第２の配線部（第２ＦＰＣ部１１又は１１Ａ）をＦＰＣ（３，３Ａ）に設けることで、ＦＰＣ（３，３Ａ）のプリント基板（第1，第2のプリント基板１，２）に接続される配線接続部分が少なくなるので、第１の配線部（第１ＦＰＣ部１０又は１０Ａ）と第２の配線部（第２ＦＰＣ部１１又は１１Ａ）をＦＰＣ（３，３Ａ）はこれらをまとめた一つの配線部にした場合に比べて自由に動くことができ、コネクタ（ＦＰＣ接続用コネクタ基板４，５又は６，７）の取り付けばらつきなどに対処し易くなる。しかも、単純に第１の配線部（第１ＦＰＣ部１０又は１０Ａ）と第２の配線部（第２ＦＰＣ部１１又は１１Ａ）の２つの配線部を接続部（接続規制用連結部１２）でつなぐ構成であるので、第１の配線部（第１ＦＰＣ部１０又は１０Ａ）と第２の配線部（第２ＦＰＣ部１１又は１１Ａ）の接続部（接続規制用連結部１２）から配線用コネクタ（ＦＰＣ接続用コネクタ基板４〜７）までの距離はある程度離れることになって、各配線部（第１ＦＰＣ部１０，１１又は１０Ａ，１１Ａ）は自由に動くことができる。
（発明の実施の形態の説明３）
また、この発明の実施の形態のプリント基板の接続構造において、前記突起部（接続規制突部９）は、前記１組のコネクタの間に対応する位置で且つ前記ＦＰＣ（３，３Ａ）の挿入方向側の位置に配置された電子部品とする。
【００４８】
この構成によれば、突起部を配設する位置が第１の配線部と第２の配線部の間であるので、ＦＰＣ全体が大きくなることがない。しかも、プリント基板に設ける突起部として電子部品（例えばある程度高さのあるチップ抵抗やチップコンデンサ）を接続規制突部９として用いることで、突起部（接続規制突部９）を個別に用意しなくても済むことになる。尚、組立時に突起部が目立つように特定色のモールド部材をプリント基板の所定箇所に穴を設けて取り付けることなども考えられる。
（発明の実施の形態の説明４）
また、この発明の実施の形態のプリント基板の接続構造において、前記ＦＰＣ（３，３Ａ）は、第１の配線部（第１ＦＰＣ部１０又は１０Ａ）と第２の配線部（第２ＦＰＣ部１１又は１１Ａ）の配線部配列方向への外力が前記接続部（接続規制用連結部１２）に加わることによって、外力がかからない状態での前記接続部（接続規制用連結部１２）の前記配線部配列方向への長さが変化して、前記第１の配線部（第１ＦＰＣ部１０又は１０Ａ）と第２の配線部（第２ＦＰＣ部１１又は１１Ａ）との距離が変化可能に、前記接続部（接続規制用連結部１２）が撓み構造を有する。
【００４９】
この構成によれば、接続部（接続規制用連結部１２）は第１の配線部（第１ＦＰＣ部１０又は１０Ａ）と第２の配線部（第２ＦＰＣ部１１又は１１Ａ）との距離が変化可能な撓み構造を有するので、１組のコネクタ（ＦＰＣ接続用コネクタ基板４，５とＦＰＣ接続用コネクタ基板６，７、又はＦＰＣ接続用コネクタ基板４Ａ，５ＡとＦＰＣ接続用コネクタ基板６Ａ，７Ａ）は取り付け位置のばらつきなどがあっても、第１の配線部（第１ＦＰＣ部１０又は１０Ａ）との距離を変化させることで、コネクタ（ＦＰＣ接続用コネクタ基板４，５とＦＰＣ接続用コネクタ基板６，７、又はＦＰＣ接続用コネクタ基板４Ａ，５ＡとＦＰＣ接続用コネクタ基板６Ａ，７Ａ）への接続を行うことができる。尚、接続部（接続規制用連結部１２）の撓み構造としては例えばＳ字、Ｕ字などのようにすることができ、このようにすることで第１の配線部（第１ＦＰＣ部１０又は１０Ａ）との距離を接続部の撓みにより変化させやすくなる。
（発明の実施の形態の説明５）
また、この発明の実施の形態のプリント基板の接続構造において、前記ＦＰＣ（３，３Ａ）は前記第１配線部と前記第２配線部と前記接続部（接続規制用連結部１２）が別体構造であって、前記接続部（接続規制用連結部１２）を第１配線部と該第２配線部に貼り付けることにより、前記第１の配線部（第１ＦＰＣ部１０又は１０Ａ）と第２の配線部（第２ＦＰＣ部１１又は１１Ａ）を前記接続部（接続規制用連結部１２）により一体構造としている。
【００５０】
この構成によれば、第１の配線部（第１ＦＰＣ部１０又は１０Ａ）と第２の配線部（第２ＦＰＣ部１１又は１１Ａ）と接続部（接続規制用連結部１２）を別体構造とすることで、ＦＰＣ製造時の基本となるシートサイズ（ワークサイズ）にＦＰＣ（３，３Ａ）の配線部（１０，１１等で示したＦＰＣ部）を設定できので、配線部（ＦＰＣ部）の個数を自由に増減できる。また、接続部自体は汎用の粘着テープで代用して第１配線部＋第２配線部＋接続部（粘着テープ）として１つのＦＰＣとすることもできる。
（発明の実施の形態の説明６）
また、この発明の実施の形態において、第１，第２のプリント基板１，２の接続に用いる接続用のＦＰＣ（３，３Ａ）であって、
前記ＦＰＣ（３，３Ａ）は、前記第１のプリント基板１上の一方の配線用コネクタ（ＦＰＣ接続用コネクタ基板４，５の一方又は４Ａ，５Ａの一方）と前記第２のプリント基板２上の一方の配線用コネクタ（ＦＰＣ接続用コネクタ基板６，７の一方又は６Ａ，７Ａの一方）を接続する第１配線部（第１ＦＰＣ部１０又は１０Ａ）と、前記第１のプリント基板１上の他方の配線用コネクタ（ＦＰＣ接続用コネクタ基板４，５の他方又は４Ａ，５Ａの他方）と前記第２のプリント基板２上の他方のコ配線用ネクタ（ＦＰＣ接続用コネクタ基板６，７の他方又は６Ａ，７Ａの他方）を接続する第２配線部（第２ＦＰＣ部１１又は１１Ａ）と、前記第１の配線部（第１ＦＰＣ部１０又は１０Ａ）と第２の配線部（第２ＦＰＣ部１１又は１２Ａ）を一体とするように接続し且つ前記第１のプリント基板１と第２のプリント基板２のいずれか一方に配置される突起部（接続規制突部９）に干渉させて前記ＦＰＣが誤接続されるのを防止させる接続（接続規制用連結部１２）部とを備えている。
【００５１】
この構成のＦＰＣ（３，３Ａ）によれば上述した説明1〜５の作用・効果を有する。
（発明の実施の形態の説明７）
また、この発明の実施の形態において、上述したＦＰＣ（３，３Ａ）を用いて接続されたプリント基板の接続構造を有する電子機器は、ＦＰＣ（３，３Ａ）の誤挿入を防止できる。このように誤挿入をなくすことにより、プリント基板やＦＰＣの故障を減少させるため、電子機器の製造コスト低減することができる。この電子機器としては、例えば、デジタルカメラや携帯電話等のように小さい電子機器に適用できる。
【００５２】
上述した、プリント基板の接続構造とその接続用のＦＰＣは、デジタルカメラや携帯電話等のように小さい電子機器内のプリント基板の接続に適用できる。また、この電子機器としては、デジタルカメラや携帯電話等意外の電子機器であっても良い。
【符号の説明】
【００５３】
１  第１のプリント基板
１ａ  配線用コネクタ部
２  第２のプリント基板
２ａ  配線用コネクタ部
２ｂ  基板側縁
３  ＦＰＣ
３Ａ  ＦＰＣ
４  ＦＰＣ接続用コネクタ基板（配線用コネクタ）
５  ＦＰＣ接続用コネクタ基板（配線用コネクタ）
６  ＦＰＣ接続用コネクタ基板（配線用コネクタ）
７  ＦＰＣ接続用コネクタ基板（配線用コネクタ）
４ａ〜７ａ  ＦＰＣ接続口
４ｂ〜７ｂ  端子挿入端
４Ａ  ＦＰＣ接続用コネクタ基板（配線用コネクタ）
５Ａ  ＦＰＣ接続用コネクタ基板（配線用コネクタ）
６Ａ  ＦＰＣ接続用コネクタ基板（配線用コネクタ）
７Ａ  ＦＰＣ接続用コネクタ基板（配線用コネクタ）
８  空間
９  接続規制突部（接続部）
９ａ  端面
１０  第１ＦＰＣ部（第１配線部）
１０ａ，１０ｂ  接続端子部
１０ｃ  接続端子部
１０ｄ  接続端子部
１１  第２ＦＰＣ部（第２配線部）
１１ａ，１１ｂ  接続端子部
１１ｃ  接続端子部
１１ｄ  接続端子部
１２  接続規制用連結部（接続部）
１２ａ  第1の粘着テープ片
１２ａ１  中間部
１２ｂ  第２の粘着テープ片
１２ｂ１  中間部
Ａ  距離
Ｂ  距離
Ｃ  距離
Ｄ  高さ（距離）
Ｅ  高さ（距離）
Ｍ  パターン目印（目印）
【先行技術文献】
【特許文献】
【００５４】
【特許文献１】特開２００４−１９２９６７号公報
【図１】
0005903957.tif 000002
【図１Ａ】
0005903957.tif 000003
【図２】
0005903957.tif 000004
【図３】
0005903957.tif 000005
【図４】
0005903957.tif 000006
【図５】
0005903957.tif 000007
【図６】
0005903957.tif 000008
【図７】
0005903957.tif 000009
【図８】
0005903957.tif 000010